(57)【特許請求の範囲】
【請求項１】
車両ミラーの表示軸を調整するよう構成されたアクチュエータアセンブリであって、
トグルスイッチと、
第１軸に近接する前記トグルスイッチに回転可能に連結されたピボットプレートと、
第２軸に沿って前記ピボットプレートに回転可能に連結され、前記第１軸に沿って前記トグルスイッチに回転可能に連結されたサポートブラケットと、
前記トグルスイッチ及び前記サポートブラケットに連結される回転粘性ダンパーと、
を備え、
前記サポートブラケットは、前記車両ミラーを支持するよう構成され、
前記トグルスイッチの回転は、前記サポートブラケットに対して前記ピボットプレートを移動して前記車両ミラーの視野角を調整するよう構成されており、
前記回転粘性ダンパーは、前記サポートブラケットに対する前記第１軸の周りの前記トグルスイッチの回転を制動するよう構成されている、アクチュエータアセンブリ。
【請求項２】
前記ピボットプレートは、前記車両ミラーを車両の一部に取り付けるよう構成された取り付けアセンブリと連結している、請求項１に記載のアクチュエータアセンブリ。
【請求項３】
前記ピボットプレートは、前記第１軸の周りの前記トグルスイッチの回転を制限するようバネによって負荷を与えられている、請求項１または２に記載のアクチュエータアセンブリ。
【請求項４】
前記トグルスイッチを前記第１軸に近接する前記ピボットプレートに連結するよう構成された係合部材
を更に備える、請求項１乃至３のいずれか１項に記載のアクチュエータアセンブリ。
【請求項５】
前記係合部材は、前記トグルスイッチに回転可能に連結されている、
請求項４に記載のアクチュエータアセンブリ。
【請求項６】
前記係合部材は、前記トグルスイッチの回転に応答して前記第１軸の周りを同心円状に移動するよう構成されている、請求項５に記載のアクチュエータアセンブリ。
【請求項７】
前記係合部材の移動は、前記ピボットプレートを前記サポートブラケットに対して前記第２軸の周りに回転させ、それにより前記車両ミラーの視野角を調整する、請求項６に記載のアクチュエータアセンブリ。
【請求項８】
前記ピボットプレートは、当該ピボットプレートの回転に応答して前記車両ミラーのセンサを選択的に起動するよう構成された係合形体を有する、請求項７に記載のアクチュエータアセンブリ。
【請求項９】
車両用のミラーアセンブリであって、
筐体と、
前記筐体と動作可能に連結されたガラス素子と、
前記筐体と共に配置され、前記ガラス素子と動作可能に連結されたアクチュエータ装置であって、第１位置及び第２位置へ前記ガラス素子を傾けるよう調整可能なアクチュエータ装置と、
前記アクチュエータ装置及び前記筐体と係合する回転ダンパーであって、前記第１位置から前記第２位置への前記ガラス素子の動きに対応する前記アクチュエータ装置の動きを制御する回転ダンパーと、を備える、ミラーアセンブリ。
【請求項１０】
前記第１位置は、後部反射視界に対する軸外位置に対応し、前記第２位置は、前記後部反射視界に対する軸内位置に対応する、請求項９に記載のミラーアセンブリ。
【請求項１１】
前記ガラス素子と前記筐体の間に搭載される表示モジュール
を更に備える、請求項９または１０に記載のミラーアセンブリ。
【請求項１２】
前記表示モジュールは、オン状態及びオフ状態に制御されるよう構成されている、請求項１１に記載のミラーアセンブリ。
【請求項１３】
前記アクチュエータ装置は、前記表示モジュールを、前記第１位置でオン状態に、前記第２位置でオフ状態に、制御するよう更に構成されている、請求項１２に記載のミラーアセンブリ。
【発明の詳細な説明】
【技術分野】
【０００１】
本発明は、概して、バックミラー装置システムに関連し、より具体的には、部分的反射性かつ部分的透過性の素子と、反射性素子の後方にある表示装置と、を有する表示ミラーアセンブリに関する。
【発明の概要】
【０００２】
本開示の一態様は、車両ミラーの表示軸を調整するよう構成されるアクチュエータアセンブリを提供する。当該アセンブリは、トグルスイッチと、第１軸に近接するトグルスイッチに回転可能に連結されるピボットプレートと、を備える。当該アセンブリは、第２軸に沿ってピボットプレートに回転可能に連結され、第１軸に沿ってトグルスイッチに回転可能に連結されたサポートブラケットを更に備える。サポートブラケットは、車両ミラーを支持するよう構成され、トグルスイッチの回転は、サポートブラケットに対してピボットプレートを動かして、車両ミラーの視野角を調整するよう構成される。
【０００３】
本開示の別の態様は、車両用のミラーアセンブリを提供する。当該アセンブリは、筐体及び当該筐体に動作可能に連結されるガラス素子を備える。アクチュエータ装置が、筐体と共に配置され、ガラス素子と動作可能に結合される。当該アクチュエータ装置は、ガラス素子を傾けて、第１位置及び第２位置へ調整可能である。ダンパーが、アクチュエータ装置及び筐体と係合する。当該ダンパーは、第１位置から第２位置へのガラス素子の動きに対応するアクチュエータ装置の動きを制御する。
【０００４】
更に本開示の別の態様は、車両用のミラーアセンブリを提供する。当該アセンブリは、サポートブラケット及び当該サポートブラケットに動作可能に連結されたガラス素子を備える。アクチュエータアセンブリは、ガラス素子を傾けて第１位置及び第２位置へ調整可能であり、サポートブラケットと共に配置される。ダンパーが、作動範囲の第１部分にわたり、アクチュエータアセンブリ及びサポートブラケットと係合する。当該ダンパーは、第１位置から第２位置へのガラス素子の動きに対応するアクチュエータアセンブリの動きを制御する。当該アセンブリは、アクチュエータアセンブリの位置を検出するように構成されたセンサを更に備える。
【０００５】
本発明のこれら及びその他の特徴、利点、及び目的は、以下の明細書、特許請求の範囲、及び添付図面を参照することにより、当業者によって更に理解及び認識される。
【図面の簡単な説明】
【０００６】
【図１】車両用表示ミラーアセンブリの上部正面斜視図である。
【０００７】
【図２】図１の表示ミラーアセンブリの底部正面斜視図である。
【０００８】
【図３】図１の表示ミラーアセンブリの側面立面図である。
【０００９】
【図４】図１の表示ミラーアセンブリの部分的に分解した上部斜視図である。
【００１０】
【図５】図１の表示ミラーアセンブリの部分的に分解した上部斜視図である。
【００１１】
【図６】図１の表示ミラーアセンブリの上部分解斜視図である。
【００１２】
【図７】表示ミラーに組み入れ可能な調整アセンブリの斜視図である。
【００１３】
【図８Ａ】表示ミラー用アクチュエータアセンブリの斜視図である。
【００１４】
【図８Ｂ】アクチュエータアセンブリのトグル機構の斜視図である。
【００１５】
【図９Ａ】ガラス素子の位置を検出するよう構成されたセンサを有するアクチュエータアセンブリの部分的アセンブリの投影図である。
【００１６】
【図９Ｂ】図９Ａに示すアクチュエータアセンブリの部分的アセンブリの投影図である。
【００１７】
【図９Ｃ】図９Ａに示すアクチュエータアセンブリの部分的アセンブリの投影図である。
【００１８】
【図１０Ａ】図９Ａに示すアクチュエータアセンブリの部分的アセンブリの投影図である。
【００１９】
【図１０Ｂ】図９Ａに示すアクチュエータアセンブリの部分的アセンブリの投影図である。
【００２０】
【図１１Ａ】本開示によるアクチュエータアセンブリの部分的アセンブリの投影図である。
【００２１】
【図１１Ｂ】本開示によるアクチュエータアセンブリの部分的アセンブリの投影図である。
【００２２】
【図１１Ｃ】本開示によるアクチュエータアセンブリの詳細な投影図である。
【００２３】
【図１２Ａ】本開示によるアクチュエータアセンブリの部分的アセンブリの投影図である。
【００２４】
【図１２Ｂ】本開示によるアクチュエータアセンブリの分解図である。
【発明を実施するための形態】
【００２５】
ここで説明される実施形態は、主に、ディスプレイミラーに関連する方法ステップと装置構成要素との組み合わせに存する。したがって、装置構成要素及び方法ステップは、該当する場合、詳細によって開示を不明瞭にしないように、本開示の実施形態を理解することに関するそれらの特定の詳細のみを示す図面において、従来の符号によって表されている。前記詳細は、本明細書の説明の恩恵を有する当業者に容易に明らかになる。更に、説明及び図面における同類の数字は、同類の要素を表す。
【００２６】
本明細書における記述の目的のために、用語「上部の」、「下部の」、「右の」、「左の」、「後方の」、「前方の」、「垂直の」、「水平の」、及びそれについての派生語は、図１において関連付けられた開示に関するものとする。別様に述べられない限り、用語「前方の」は、ディスプレイミラーを見ることを意図される者により近い要素の表面を指すものであり、用語「後方の」はディスプレイミラーを見ることを意図された者から離れた要素の表面を指すものである。しかしながら、それとは逆に明確に特定されたもの以外は、発明はさまざまな代わりの配向をとり得る、と理解されるべきである。添付図面に図示され、かつ以下の明細書に記述された特定のデバイス及びプロセスは、添付された特許請求の範囲において定義された発明概念の単なる例示的な実施形態であることも理解されるべきである。したがって、本明細書に開示された実施形態に関する特定の寸法及び他の物理的特性は、特許請求の範囲が明示的に別段に述べない限り、限定するものと見なされるべきではない。
【００２７】
用語「ｉｎｃｌｕｄｉｎｇ（含む）」、「ｃｏｍｐｒｉｓｅｓ（備える）」、「ｃｏｍｐｒｉｓｉｎｇ（備える）」、または任意の他の変形は、要素のリストを備えるプロセス、方法、物品、または装置が、それらの要素のみを含むのではなく、このようなプロセス、方法、物品、または装置に明示的に列挙されもせず、固有でもない他の要素を含んでもよいように、非排他的包括にわたるように意図される。「ｃｏｍｐｒｉｓｅｓ  ａ．．．」によって始められる要素は、さらなる制約を受けずに、その要素を備えるプロセス、方法、物品、または装置において、追加の同一要素の存在を妨げない。
【００２８】
ここで、図１乃至図３を参照して、参照符号１０は、全体として、車両用の表示ミラーアセンブリを示す。表示ミラーアセンブリ１０は、部分的反射性かつ部分的透過性の素子１２（本明細書中、「ガラス素子」ともいう）と、部分的反射性かつ部分的透過性の素子１２を介して見られる表示モジュール１８（図６）と、を具備する。図４に示すとおり、表示ミラーアセンブリ１０は、更に、フロントシールド１４とリアシールド１６とを備え、これらは、部分的反射性かつ部分的透過性の素子１２と表示モジュール１８（図６）とを遮蔽しかつ支持する。図５及び図６に示されるように、表示モジュール１８は、一般的に、いくつかの構成要素２０を含むが、これらには、表示装置２２、光学ブロック２４、放熱板２６、及びプライマリＰＣＢ２８が含まれる。筐体３０は、フロントシールド１４、表示モジュール１８及びリアシールド１６を少なくとも部分的に収容し、そこから後方へ延びる実装部材（取り付け部材）３２を有する。実装部材３２は、車両のフロントガラス上に取り付けるように構成されている。
【００２９】
図１乃至図３を参照すると、表示ミラーアセンブリ１０は表示領域４０を有しており、この表示領域４０にはガラス素子１２の前面４２が含まれる。当該表示領域４０は、矩形形状、台形形状、または審美的な理由で望ましい任意のカスタム輪郭形状、であり得る。
【００３０】
図４を参照すると、車両用の表示ミラーアセンブリ１０は、部分的に分解図示された構成要素とともに示されている。表示ミラーアセンブリ１０は、ガラス素子１２と、フロントシールド１４と、リアシールド１６と、を有し得て、表示モジュール１８、後部筐体３０及び実装部材３２を閉じ込め得る。図４乃至図６に示されるように、フロントシールド１４と、リアシールド１６と、表示モジュール１８の構成要素とは、表示モジュール１８のいくつかの構成要素とフロントシールド１４及びリアシールド１６とを動作可能に互いに接続しかつ表示モジュール１８に対する支持を提供するための、様々な保持形体を備えている。具体的には、フロントシールド１４は、表示モジュール１８に当該フロントシールド１４を動作可能に結合するために保持形体を含んでおり、リアシールド１６は、表示モジュール１８に当該リアシールド１６を動作可能に接続するために保持形体を有している。保持形体としては、スナップフィット式接続、タブ及びスロットによる接続、ねじ込み式接続、及び他の公知の保持形体が挙げられる。保持形体の一部または全てが、接着剤化合物の追加によって強化され得る。保持形体のいくつかの非限定的な実例が、本明細書中に詳細に記述されている。
【００３１】
以下、例示的な実施形態の表示ミラーアセンブリ１０について、対象とするビューワーに最も近い要素から始めて、ビューワーから後方に遠ざかる方向に続けて、より詳しく説明する。  図４に示されるように、ガラス素子１２は概ね平面であり、外周部４６と当該外周部４６の周りの境界部４８とを有する。境界部４８は、表示ミラーアセンブリ１０内のガラス素子１２の後方に位置したフロントシールド１４と他の素子を隠すように、クロム輪または他の同様な仕上げが施されていてもよく、限定されるものではないが、エレクトロクロミックユニット上のシール、アップリケ、発泡性接着剤、またはパッド印刷が含まれる。境界部４８は、ガラス素子１２の外周部４６から表示装置２２の外側縁部５０へ延びてい得る。あるいは、境界部４８は、より狭くてもよく、境界部４８の少なくともいくつかの部分に沿って表示装置２２の外側縁部５０に外周部４６から達しなく得る。ガラス素子１２の周部は、研磨された縁部または面取りされた縁部を有してもよく、あるいはフレームレスであり得る。
【００３２】
ガラス素子１２は、電気光学要素であり得るし、プリズムなどの要素であり得る。電気光学要素の１つの非限定的な例は、少なくとも１つの溶媒、少なくとも１つのアノード材料、及び少なくとも１つのカソード材料を含むエレクトロクロミック媒体である。典型的には、アノード材料とカソード材料の両方が電気活性であり、それらの少なくとも１つはエレクトロクロミックである。その通常の意味にかかわらず、用語「電気活性」は、本明細書では、特定の電位差に曝されたときにその酸化状態が変化する材料として定義されることが理解される。更に、「エレクトロクロミック」という用語は、その通常の意味にかかわらず、特定の電位差に曝されたときに１つまたは複数の波長でその消光係数に変化を示す材料として定義されることが理解されよう。本明細書に記載のエレクトロクロミック成分は、電流が当該材料に加えられると色または不透明度が第１相から第２相に変化するように、色または不透明度が電流によって影響を受ける材料を含む。エレクトロクロミック成分は、単層、単相成分、多層成分、または多相成分であり得、「Ｅｌｅｃｔｒｏｃｈｒｏｍｉｃ  Ｌａｙｅｒ  Ａｎｄ  Ｄｅｖｉｃｅｓ  Ｃｏｍｐｒｉｓｉｎｇ  Ｓａｍｅ」と題する米国特許第５，９２８，５７２号、「Ｅｌｅｃｔｒｏｃｈｒｏｍｉｃ  Ｃｏｍｐｏｕｎｄｓ」と題する米国特許第５，９９８，６１７号、「Ｅｌｅｃｔｒｏｃｈｒｏｍｉｃ  Ｍｅｄｉｕｍ  Ｃａｐａｂｌｅ  Ｏｆ  Ｐｒｏｄｕｃｉｎｇ  Ａ  Ｐｒｅｓｅｌｅｃｔｅｄ  Ｃｏｌｏｒ」と題する米国特許第６，０２０，９８７号、「Ｅｌｅｃｔｒｏｃｈｒｏｍｉｃ  Ｃｏｍｐｏｕｎｄｓ」と題する米国特許第６，０３７，４７１号、「Ｅｌｅｃｔｒｏｃｈｒｏｍｉｃ  Ｍｅｄｉａ  Ｆｏｒ  Ｐｒｏｄｕｃｉｎｇ  Ａ  Ｐｒｅ−ｓｅｌｅｃｔｅｄ  Ｃｏｌｏｒ」と題する米国特許第６，１４１，１３７号、「Ｅｌｅｃｔｒｏｃｈｒｏｍｉｃ  Ｓｙｓｔｅｍ」と題する米国特許第６，２４１，９１６号、「Ｎｅａｒ  Ｉｎｆｒａｒｅｄ−Ａｂｓｏｒｂｉｎｇ  Ｅｌｅｃｔｒｏｃｈｒｏｍｉｃ  Ｃｏｍｐｏｕｎｄｓ  Ａｎｄ  Ｄｅｖｉｃｅｓ  Ｃｏｍｐｒｉｓｉｎｇ  Ｓａｍｅ，」と題する米国特許第６，１９３，９１２号、「Ｃｏｕｐｌｅｄ  Ｅｌｅｃｔｒｏｃｈｒｏｍｉｃ  Ｃｏｍｐｏｕｎｄｓ  Ｗｉｔｈ  Ｐｈｏｔｏｓｔａｂｌｅ  Ｄｉｃａｔｉｏｎ  Ｏｘｉｄａｔｉｏｎ  Ｓｔａｔｅｓ」と題する米国特許第６，２４９，３６９号、そして「Ｅｌｅｃｔｒｏｃｈｒｏｍｉｃ  Ｍｅｄｉａ  Ｗｉｔｈ  Ｃｏｎｃｅｎｔｒａｔｉｏｎ  Ｅｎｈａｎｃｅｄ  Ｓｔａｂｉｌｉｔｙ，  Ｐｒｏｃｅｓｓ  Ｆｏｒ  Ｔｈｅ  Ｐｒｅｐａｒａｔｉｏｎ  Ｔｈｅｒｅｏｆ  ａｎｄ  Ｕｓｅ  Ｉｎ  Ｅｌｅｃｔｒｏｃｈｒｏｍｉｃ  Ｄｅｖｉｃｅｓ」と題する米国特許第６，１３７，６２０号、「Ｅｌｅｃｔｒｏｃｈｒｏｍｉｃ  Ｄｅｖｉｃｅ」と題する米国特許第６，５１９，０７２号、そして「Ｅｌｅｃｔｒｏｃｈｒｏｍｉｃ  Ｐｏｌｙｍｅｒｉｃ  Ｓｏｌｉｄ  Ｆｉｌｍｓ，  Ｍａｎｕｆａｃｔｕｒｉｎｇ  Ｅｌｅｃｔｒｏｃｈｒｏｍｉｃ  Ｄｅｖｉｃｅｓ  Ｕｓｉｎｇ  Ｓｕｃｈ  Ｓｏｌｉｄ  Ｆｉｌｍｓ，  Ａｎｄ  Ｐｒｏｃｅｓｓｅｓ  Ｆｏｒ  Ｍａｋｉｎｇ  Ｓｕｃｈ  Ｓｏｌｉｄ  Ｆｉｌｍｓ  Ａｎｄ  Ｄｅｖｉｃｅｓ」と題す���国際特許出願ＰＣＴ／ＵＳ９８／０５５７０号、「Ｅｌｅｃｔｒｏｃｈｒｏｍｉｃ  Ｐｏｌｙｍｅｒ  Ｓｙｓｔｅｍ」と題する国際特許出願ＰＣＴ／ＥＰ９８／０３８６２号、及び「Ｅｌｅｃｔｒｏｃｈｒｏｍｉｃ  Ｐｏｌｙｍｅｒｉｃ  Ｓｏｌｉｄ  Ｆｉｌｍｓ，  Ｍａｎｕｆａｃｔｕｒｉｎｇ  Ｅｌｅｃｔｒｏｃｈｒｏｍｉｃ  Ｄｅｖｉｃｅｓ  Ｕｓｉｎｇ  Ｓｕｃｈ  Ｓｏｌｉｄ  Ｆｉｌｍｓ，  Ａｎｄ  Ｐｒｏｃｅｓｓｅｓ  Ｆｏｒ  Ｍａｋｉｎｇ  Ｓｕｃｈ  Ｓｏｌｉｄ  Ｆｉｌｍｓ  Ａｎｄ  Ｄｅｖｉｃｅｓ」と題する国際特許出願ＰＣＴ／ＵＳ９８／０５５７０号、に記載され、それらのすべては、当該参照によりその全体が本明細書に組み込まれる。ガラス素子１２はまた、部分的に反射性で部分的に透過性を有する任意の他の要素であり得る。ガラス素子１２に電流を供給するために、要素の両側に電気要素が設けられ、要素間に電位を生成する。Ｊクリップ５４が、それぞれの電気要素と電気的に係合され、素線が当該Ｊクリップ５４からプライマリＰＣＢ２８へと延びる。
【００３３】
ここで図５及び図６を参照すると、フロントシールド１４が機能し、無線周波数（ＲＦ）電磁放射から表示モジュール１８を遮蔽すると共に、ガラス素子１２及び表示モジュール１８の支持を提供する。フロントシールド１４は、限定されるものではないが鋼材を含む、ＲＦ放射をブロックするのに適している、１つ以上の材料から形成される。非限定例として、フロントシールド１４は、約０．２ｍｍ厚の型押しされた鋼材から形成され得る。
【００３４】
また、図５及び図６に示されるように、フロントシールド１４は、開口部６２が開通した輪６０の形状に概ね成形される。フロントシールド１４は、前面部６４、後面部６６、及び外面部６８を有しており、該外面部６８はガラス素子１２の外周部４６と概ね同一の広がりを持つ。フロントシールド１４は、そこから前方に延びてガラス素子１２と機械的に係合する保持形体７０を含む。発泡性接着剤７２等の接着剤がガラス素子１２をフロントシールド１４に固定する際に用いられ得る。フロントシールド１４は、後方に向けられたタブ７４を更に備え、リアシールド１６（または表示モジュール１８の構成要素）と動作可能に係合する。後方に向けられたタブ７４には更に穴部７６が開口しており、光学ブロック２４等の表示モジュール１８の少なくとも１つの構成要素と動作可能に係合する。
【００３５】
図６に最も良好に示されるように、表示モジュール１８は、フロントシールド１４の後ろに配置され、表示装置２２はフロントシールド１４の開口部６２を通して見ることができる。表示モジュール１８の構成要素は、フロントシールド１４からリアシールド１６へ向けて、表示装置２２、光学ブロック２４、放熱板２６、及びプライマリＰＣＢ２８が順次配置されている。
【００３６】
表示装置２２は概ね平面であり、外側縁部５０が前面７８を画定する。表示装置２２の前面７８は、表示ミラーアセンブリ１０の表示領域４０の形状に対応し、かつ嵌合するように、成形され得る。あるいは、表示装置２２は、表示領域４０に嵌合するが相補的ではない前面７８を有してもよく、この場合、例えば、表示装置２２の前面７８が概ね矩形状であり、ガラス素子１２の前面４２が輪郭付けられた外周部４６を有する。表示装置２２の外側縁部５０とガラス素子１２の外周部４６との間の距離は、外側縁部５０の少なくとも１つの部分に沿って約９ｍｍ以下である。一実施形態では、表示装置２２には視認可能な前面の領域７８があり、この領域はガラス素子１２の表示領域４０の約５６％から約７０％である。
【００３７】
表示装置２２は、ＬＣＤ、ＬＥＤ、ＯＬＥＤ、プラズマ、ＤＬＰ、または他の表示技術であり得る。表示装置２２は、更に、フレキシブル電気コネクタ８０を具備するが、このコネクタは、動作可能なように機械的かつ電気的にプライマリＰＣＢ２８に連結されている。フレキシブル電気コネクタ８０は、表示装置２２とプライマリＰＣＢ２８との間の表示モジュール１８の構成要素の周りを覆うのに十分である長さＬと、表示装置２２の上端縁部８２に実質的に沿って延びる幅と、を有する。フレキシブル電気コネクタ８０は、プライマリＰＣＢ２８に動作可能に接続される時に、表示モジュール１８の上端縁部に沿った構成要素の固定を助ける。
【００３８】
図５及び図６に示されるように、光学ブロック２４は、表示装置２２に面している前面部９０と、放熱板２６に面している後面部９２と、外周部９４と、を具備する。光学ブロック２４は、更に、外周部９４の少なくとも一部分の周りにそこから概ね外側に延びるタブ９６を具備する。タブ９６は、フロントシールド１４の後向きタブ７４の穴部７６を通って収納され、光学ブロック２４をフロントシールド１４に、動作可能なように機械的に係合する。光学ブロック２４は、更に、その後面部９２上に少なくとも１つのネジ受け要素９８を具備する。ネジ受け要素９８は、ネジ１００と係合するように構成されており、このネジ１００は、リアシールド１６と、光学ブロック２４とリアシールド１６との間の表示モジュール１８の構成要素と、にねじ込みされている。他の実施形態では、フロントシールド１４を係合するタブ９６、ネジ受け要素９８、またはその両方が、表示モジュール１８の異なる構成要素上に設けられ得る。
【００３９】
図４及び図６に示されるように、グレアセンサ１０２が、ガラス素子１２を介して受光する位置であって表示装置２２の後ろではない位置内に、光学ブロック２４の前面部９０上に設けられる。グレアセンサ１０２は、光学ブロック２４の受け入れ開口部１０４内にスナップ式に嵌合する。グレアセンサ１０２は、後続車両のヘッドライトから光を受け、ガラス素子１２の上で見ることが可能なグレアに関する情報を測定し、当該情報を表示ミラーアセンブリ１０に伝えることで、表示ミラーアセンブリ１０が最適化されてガラス素子１２を介して表示装置２２を見ることを可能にする。グレアセンサ１０２の光学的な垂直／水平方向のパターンは対称的であり、グレアセンサ１０２の配向は重要ではない。表示ミラーアセンブリ１０の筐体３０内にグレアセンサ１０２を少なくとも部分的にパッケージングすることができ、グレアセンサ１０２へ光を伝搬するように構成される導光部を有し得る。グレアセンサ１０２は、車両の後部上の撮像素子であり得て、受信した光を表す信号はグレアセンサ１０２から表示ミラーアセンブリ１０に伝えられる。
【００４０】
図５及び図６に示されるように、放熱板２６は、光学ブロック２４から後方に配置され、プライマリＰＣＢ２８及び表示モジュール１８の他の構成要素によって生じた熱を放散する。放熱板２６は、前面部１１２及び上端縁部１１４を備えた概ね平面体１１０を有する。溝部１１６が放熱板２６の上端縁部１１４に沿って延び、前向き開口部１１８を画成する。エッジ点灯ＰＣＢ１２０及びギャップフィラー１２２が、溝部１１６内に部分的に配置される。エッジ点灯ＰＣＢ１２０は、放熱板２６から前方に概ね垂直に延びて、上端縁部１１４から下方に向き、かつ上端縁部１１４から離れている操作可能な面を有する。エッジ点灯ＰＣＢ１２０は、プライマリＰＣＢ２８との電気接続に適した配線を具備し、電力及び信号がエッジ点灯ＰＣＢ１２０に供給されることを可能にする。複数のタブ１２８が、リアシールド１６との機械的係合のために、放熱板２６の上端縁部１１４から上方に延びている。
【００４１】
放熱板２６は、少なくとも１つの穴部１３０を含み得て、この穴部１３０を通して、リアシールド１６から光学ブロック２４にねじ込まれたネジ１００を受け得る。光学ブロック２４のネジ受け要素９８は、選択的に、放熱板２６の穴部１３０を通って延びてネジ１００を受けるように隆起される。光学ブロック２４のネジ受け要素９８は、製造時には表示モジュール１８の構成要素の位置合わせを助けることもでき、またそれが隆起されていれば、構成要素間での相互作用において表示モジュール１８に対するさらなる補強をもたらすであろう。
【００４２】
プライマリＰＣＢ２８は、表示モジュール１８の構成要素とガラス素子１２とに電力及び制御を提供すべく作動する。図５及び図６に示されるように、プライマリＰＣＢ２８は概ね平坦であり、前面部１４０、後面部１４２、及び側端縁部１４４を有する。前面部１４０は、放熱板２６に面しており、後面部１４２は、リアシールド１６に面している。電気的な構成要素が、プライマリＰＣＢ２８の後面部１４２の上で概ね配向している。プライマリＰＣＢ２８は、ガラス素子１２の電気素子線と作動可能に電気的に係合するための電気コネクタと、フレキシブル電気コネクタ８０と作動可能に電気的に係合するための電気コネクタと、ワイヤリングハーネスと作動可能に電気的に係合するための電気コネクタとを、具備する。グレアセンサ１０２、及び表示ミラーアセンブリ１０の他の任意の機能的なボタンないし機能部などの、表示ミラーアセンブリ１０の上に設けられ得る追加の機能的素子も、プライマリＰＣＢ２８に電気的に接続され得る。プライマリＰＣＢ２８は、更に、側端部１４４に沿って側面切欠部１５０を具備することで、表示モジュール１８の構成要素に対してリアシールド１６を固定するのに用いられるネジ１００の通過を可能にする。
【００４３】
リアシールド１６は、ＲＦ放射線から表示モジュール１８を保護するよう機能する。図４及び図５に最も良く示すように、リアシールド１６はまた、表示モジュール１８を覆う役目をするとともに、更に、表示ミラーアセンブリ１０の構成要素間を連結する。リアシールド１６は、そのような放射線を遮断しかつ表示ミラーアセンブリ１０の所望の支持を提供するのに適当な材料、例えば鋼材、から形成される。非限定的な例として、リアシールド１６は、約０．３８１ｍｍの厚さを持つ、型押しされた鋼材から形成することができる。
【００４４】
図６に示されるように、リアシールド１６は、外周部１６２を有する後壁部１６０と、外周部１６２の少なくとも一部分の周りにおいて後壁部１６０から前方へ延びる周壁部１６４とを具備する。周壁部１６４にはスロット１６６があり、当該スロット１６６は、放熱板２６の上端縁部１１４に沿った直立タブ１２８に対応し、それと動作可能なように機械的に係合可能である。リアシールド１６は、それに開口した少なくとも１つの穴部１６８を具備し、その中にネジ１００を収納する。ここで、ネジ１００は、リアシールド１６を通って延び、表示モジュール１８の構成要素の中に入り、リアシールド１６を表示モジュール１８に固定する。ネジ１００は、リアシールド１６の後壁部１６０、プライマリＰＣＢ２８の側面切欠部１５０、放熱板２６を通って延び、光学ブロック２４の後面部９２上のネジ受け要素９８上に固定される。
【００４５】
後部筐体３０は、前向空隙部１７０を具備し、この前向空隙部１７０内に、フロントシールド１４、リアシールド１６、及びそれらの間に支持された表示モジュール１８の全てまたは一部分が挿入されている。後部筐体３０は、当該後部筐体３０の周壁部１６４上または放熱板２６等の表示モジュール１８構成要素上に位置した対応する係合形体１７４とスナップ式に嵌合する機械的係合形体１７２を具備する。実装部材３２は、任意の既知の態様で、後部筐体３０と動作可能なように係合する。
【００４６】
以下の説明に関して、表示ミラーアセンブリ１０は、ガラス素子１２の平面に垂直な線が観察者の目の方へ延びる場合、「軸上」と見なされる。ガラス素子１２を通して見られる表示装置２２により、ガラス素子１２上のいかなるグレアも表示装置２２の可視性を妨げる可能性がある。表示ミラーアセンブリ１０が軸上にあり、夜時間ドライブ条件中に用いられている場合、後続車両（すなわち、当該表示ミラーアセンブリ１０を備えた車両の後方で運転される車両）からのヘッドライトは、ドライバに見えるグレアを引き起こす場合がある。本発明の一実施形態によれば、アクチュエータ装置１７６は、図２、図３及び図７に示されるように、表示ミラーアセンブリ１０と動作可能に結合している。作動時、アクチュエータ装置１７６は、少なくともガラス素子１２を軸から外して（すなわち、ドライバの目に向けられた直線から離れて）移動させる。典型的には、アクチュエータ装置１７６が作動することにより、ガラス素子１２が上方に傾いて、ミラー０は軸外位置に移動される。しかしながら、認識されるべきことは、軸を基準にして任意の方向にミラーを移動させるようにアクチュエータ装置１７６を構成することができるということである。アクチュエータ装置１７６は、また、作動時に表示装置２２を移動させるように構成され得る。アクチュエータ装置１７６は、また、表示装置２２をスイッチオンまたはスイッチオフするように構成され得る。したがって、アクチュエータ装置１７６が作動してミラーを軸外に移動させる場合、表示装置２２をスイッチオフすることができる。
【００４７】
ここで、図７を参照すると、アクチュエータ装置１７６の例示的な実施形態がアクチュエータ装置１９６として示されている。図示の通り、アクチュエータ装置１９６は、柔らかい（ｓｏｆｔ）調整機構１９８を組み込むことにより滑らかな調整アセンブリを形成するよう構成することができる。例示的な実施形態では、当該滑らかな調整アセンブリは、トグル機構２０２として実装することができる。トグル機構２０２は、アセンブリ１０内で利用され得て、本明細書で説明されるようにアクチュエータ装置に対して同様の機能を実施する。明瞭のため、同様の構成要素を説明されるために同様の参照符号が使用されている。柔らかい調整機構１９８は、本明細書で説明されるように、選択的に表示装置２２を起動する、及び／または、ガラス素子１２の軸位置を調整するため、アクチュエータ装置を第１位置から第２位置へ調整することで起こり得る、不快な、または、突然音がでる動きを回避するよう、構成することができる。
【００４８】
トグル機構２０２は、ガラス素子１２の角度位置を移動する、または調整するよう構成可能である。トグル機構２０２は、軸係合部２０８を介して、アクチュエータアセンブリ２０６すなわち位置決めアセンブリの筐体２０５を枢動可能に係合するよう構成されるレバー２０４を有し得る。本明細書で説明されるように、トグル機構２０２は、ガラス素子１２の角度位置を調整するよう構成可能な、アクチュエータアセンブリ２０６の一部を形成し得る。更に、アクチュエータアセンブリ２０６は、柔らかい調整機構１９８に対応し得る。軸係合部２０８は、第１係合端部２１０及び第２係合端部２１２を有し得る。この形態では、トグル機構２０２は、車両の乗客または運転者により手動で起動されて、ミラーアセンブリ１０を運転者の目の方に向けられた反射視線に対して軸内（軸上）位置または軸外位置に移動することができる。
【００４９】
ここで、図７、図８Ａ及び図８Ｂを参照すると、アクチュエータアセンブリ２０６は、第１係合端部２１０及び第２係合端部２１２それぞれを収容するよう構成される第１係合開口２１４及び第２係合開口２１６を形成する位置決め筐体２０５を備え得る。トグル機構２０２は、図７の矢印が示すように、第１位置２２０から第２位置２２２へ第１枢動軸２１８の周りを回転可能である。第１位置２２０は、ガラス素子１２が反射視線から軸外にある軸外位置に対応し得る。更に、第１位置２２０では、アクチュエータアセンブリ２０６は、更に、表示装置２２のスイッチをオン状態にするよう構成可能である。
【００５０】
第２位置２２２は、トグル機構２０２を軸内位置に配向するよう構成可能である。本明細書で説明されるように、第２位置２２２から第１位置２２０への移動は、車両の乗客により手動で起動されて、同時にガラス素子１２を軸内位置へ調整し、表示装置２２をオフ状態にすることができる。この新規な機能は、アクチュエータアセンブリ２０６の簡単で正確な動作を提供することができる。この構成では、表示装置２２は、そこから送られた光が車両の後方視界に対応するガラス素子１４の反射した光に干渉しないよう、停止可能である。
【００５１】
第１位置２２０から第２位置２２２への移動は、手動で起動されて、同時にガラス素子１２を軸外位置へ調整し、表示装置２２を起動することができる。この構成では、ガラス素子１２の反射視界は、車両のヘッドライナーの方で、運転者の目から離れた方へ向けられる。更に、第１位置では、後方視界に対応する画像データが表示装置２２に表示されるというように、当該表示装置２２がプライマリＰＣＢ２８を介して起動され、それを車両の運転者が見ることができる。このように、ガラス素子１２から反射した光を見ずに、表示装置２２の画像データを運転者が見ることができ得る。図８Ａ及び図８Ｂを参照して更に説明されるように、アクチュエータアセンブリ２０６は、トグル機構２０２の軸係合部２０８の、第１枢動軸２１８周りの第１位置２２０から第２位置２２２までの、及び、その逆の、回転移動を制御するよう構成されたダンパー２２４を備え得る。
【００５２】
ここで、図８Ａ及び図８Ｂを参照すると、アクチュエータアセンブリ２０６及びトグル機構２０２がそれぞれ示されている。アクチュエータアセンブリ２０６は、ミラーアセンブリ１０の実装部材３２と後部筐体３０との間の中間接続部を形成し得る。例えば、実装部材３２は、アクチュエータアセンブリ２０６の受け部材２３０に連結するよう構成され得る。更に、筐体２０５は、第２枢動軸２３２を介して受け部材２３０と枢動連結し得る。第２枢動軸２３２は、受け部材２３０の支点ピン２３６と筐体２０５の複数の回転ブラケット２３８とにより形成される第２枢支アセンブリ２３４により形成され得る。この形態では、筐体２０５は、第１位置２２０から第２位置２２２へ調整されるトグル機構２０２に応答して、支点ピン２３６の周りを回動することができる。
【００５３】
前述のように、トグル機構２０２は、第１係合端部２１０と第２係合端部２１２とを介して筐体２０５を枢動可能に係合するよう構成可能である。第１係合端部２１０及び第２係合端部２１２は、第１係合開口２１４及び第２係合開口２１６と連結するよう構成され得て、第１枢動軸２１８を規定することができる。トグル機構２０２は更に、受け部材２３０の遠位端部２４４に形成されるレバー開口２４２に係合するよう構成される横方向変位アーム２４０を形成することができる。このようにして、筐体２０５は、実装部材３２に対して移動され得る。
【００５４】
筐体２０５は更に、複数の留め具開口２３９を介して後部筐体３０に連結可能である。複数の留め具が、ミラーアセンブリ１０の後部筐体に止め具開口２３９を形成する筐体２０５の留めタブを相互連結することができる。この形態では、受け部材２３０は、後部筐体３０とミラーアセンブリ１０の配向角度を調整するよう構成されるレバーを形成する。このようにして、ガラス素子１２は、本明細書で説明されるように、軸内位置から軸外位置に移動され得る。
【００５５】
動作の際には、トグル機構２０２のレバー２０４は、第１枢動軸２１８の周りを回転して、横方向変位アーム２４０の位置を調整可能である。横方向変位アーム２４０が動くことで、当該横方向変位アーム２４０とレバー開口２４２の係合により、受け部材２３０の遠位端部２４４を同様に動かすことができる。受け部材２３０が動くことで、更に、筐体２０５に対する受け部材２３０の角度に変化をもたらすことができる。受け部材２３０と筐体２０５との間の角度が変化することで、後部筐体３０を、更にその結果としてミラーアセンブリ１０を、第１位置２２０から第２位置２２２へ調整することができる。
【００５６】
第１位置２２０から第２位置２２２への移動は、ダンパー２２４により制動される。ダンパー２２４は、第１係合端部２１０及び固定部２５２と共に回転部２５０を含む回転ダンパーに対応し得る。固定部２５２は、筐体２０５により、または、筐体２０５と共に形成される係合スリーブ２５４を介して、筐体２０５に連結可能である。固定部２５２に対する回転部２５０の回転移動は、トグル機構２０２のレバー２０４が第１位置２２０から第２位置２２２へ滑らかに移動するように、制御または制動される。
【００５７】
ダンパー２２４は、回転ダンパーの様々な形状に対応することができる。例えば、ダンパー２２４は、剛塑性構造を有する粘性ダンパーに対応し得る。実施形態によっては、ダンパー２２４は、ロータリーダンパーまたは回転ダンパーに対応して、第１枢動軸２１８周りのトグル機構２０２の回転運動の変化率を制限することができる。実施形態によっては、ダンパー２２４は同様に、横方向制動機構として実装されて、横方向変位アーム２４０の横方向の移動を制限するよう構成可能である。それは、筐体２０５に固定可能である。本明細書で説明されるように、ダンパー２２０は、受け部材２３０に対してアクチュエータアセンブリ２０６の制御された動きを与え得て、ミラーアセンブリ１０の動きを制御することができる。
【００５８】
ミラーアセンブリ１０を参照して詳細を論じたが、ダンパー２２４を組み入れるアクチュエータアセンブリ２０６は、様々な表示ミラー及び／またはプリズムミラーに使用されてよい。例えば、当該ミラーアセンブリは、ガラス素子またはミラーアセンブリの配向角度を調整するよう構成されるアクチュエータアセンブリを具備する従来型の車両のプリズムミラー内に利用され得る。こうしたミラーは、米国特許第３，７４０，１２２号で説明されるような、二位置プリズムミラー（ｔｗｏ−ｐｏｓｉｔｉｏｎ  ｐｒｉｓｍ  ｍｉｒｒｏｒ）に対応し得る。当該公報の内容は、当該参照によりその全体が本明細書に組み込まれる。
【００５９】
ここで、図９Ａ、図９Ｂ、図９Ｃ、図１０Ａ及び図１０Ｂを参照すると、ガラス素子１２の回転配向を調整するよう構成されるアクチュエータアセンブリ３００の例示的な実施形態が示されている。例えば、アクチュエータアセンブリ３００は、図７を参照して論じたように、軸外位置から軸内位置へガラス素子１２を調整するよう構成可能である。アクチュエータアセンブリ３００は、アクチュエータ装置１７６と同様に実装可能であり、表示装置２２の起動によりガラス素子１２を動かすよう構成可能である。アクチュエータアセンブリ３００は、表示装置２２のスイッチをスイッチ装置３０２を介してオンまたはオフにするように構成され得る。スイッチ装置３０２は、アクチュエータアセンブリ３００及びガラス素子１２が軸外位置または軸内位置に配置される時を識別するよう構成され得る。
【００６０】
アクチュエータアセンブリ３００は、ガラス素子１２の配向を調整するよう構成されたトグルスイッチ３０４を具備し得る。トグルスイッチ３０４は、第１枢動軸３１０に沿ってサポートブラケット３０６及び回転ダンパー３０８すなわちバレルダンパーと係合し得る。トグルスイッチ３０４の係合部３１２及び回転ダンパー３０８の係合面３１４は、第１溝部３１８すなわちサポートブラケット３０６により形成されるくぼみと係合するよう構成された枢動界面３１６を形成し得る。この形態では、トグルスイッチ３０４は、第１枢動軸３１０に沿ってサポートブラケット３０６に回転可能に連結される。枢動界面３１６は、実質的に円筒形であってよく、第１溝部３１８の対応する内部面と係合するよう構成されるカムシャフトを形成し得る。
【００６１】
回転ダンパー３０８の係合面３１４は、第１溝部３１８内に形成される相補的受け入れ開口部（図示せず）と係合するよう構成される位置決め形体３２０を具備し得る。更に、トグルスイッチ３０４の係合部３１２は、トグルスイッチ３０４及び回転ダンパー３０８内の減衰シリンダ３２２が第１枢動軸３１０の周りを一緒に回転するよう、回転ダンパー３０８と係合し得る。この形態では、トグルスイッチ３０４と減衰シリンダ３２２の回転がロック（係止）され得て、これにより、トグルスイッチ３０４の回転は、サポートブラケット３０６に対して回転ダンパー３０８により第１枢動軸３１０の周りに減衰され得る。
【００６２】
本明細書で説明されるように、アクチュエータアセンブリ３００の枢動界面３１６は、滑らかな調整アセンブリを形成するよう構成可能である。回転ダンパー３０８は、サポートブラケット３０６と係合するよう構成され得て、サポートブラケット３０６は更にプライマリＰＣＢ２８と連結され得る。このように、サポートブラケット３０６及びアクチュエータアセンブリ３００は、実装部材と係合するよう構成可能な位置決めアセンブリ３２４の一例に対応し得る。実装部材は、ミラーマウント３２と類似してもよく、ボールアダプタ３２６と係合するよう構成されたソケットを有する。この形態では、実装部材は、車両のフロントガラスに取り付けつけるために適合され得て、ミラーアセンブリ（例えば、ミラーアセンブリ１０）を固定可能である。
【００６３】
トグルスイッチ３０４は、第２溝部３２８、すなわちスライダコンポーネント３３２の第１端部３３４に隣接するスライダコンポーネント３３２の係合部材３３０を収容するよう構成されるくぼみ、を形成することができる。当該スライダコンポーネント３３２は、複数のバネガイドスロット３３６及び対応するピボットプレートスロット３３８を形成することができる。それぞれのピボットプレートスロット３３８は、スライダコンポーネント３３２の第２端部３４４に隣接するピボットプレート３４２の係合部３４０を収容するよう構成され得る。スライダバネ３４６は、バネガイドスロット３３６のそれぞれに配置され得て、ピボットプレート３４２により形成される受け入れポケット３４８と係合し得る。この形態では、トグルスイッチ３０４が回転すると、係合部材３３０を第２溝部３２８の動きに応答して移動させることができる。
【００６４】
係合部材３３０の移動により、第１枢動軸３１０の周りをスライダコンポーネント３３２またはピボットプレート３４２が移動することができる。ピボットプレート３４２の移動は、カムフォロア構成内の第１枢動軸周りの同心の経路、または、オフセットされた経路を辿り得る。動作中、ピボットプレート３４２の移動により、スライダバネ３４６の圧縮または伸長が引き起こされ得る。それにしたがって、ピボットプレート３４２のスライダコンポーネント３３２のバネ負荷形態が、トグルスイッチ３０４の動きを制限かつ制御することができる。
【００６５】
ピボットプレート３４２は、少なくとも１つの第３溝部３５２、すなわちサポートブラケット３０６により形成されるくぼみ、と係合するよう構成される少なくとも１つの枢動部材３５０を形成し得る。更に、ピボットプレートは、遠位端部３５６に隣接するボールアダプタ３２６を支持するよう構成されるアーム３５４を形成し得る。この形態では、ピボットプレート３４２は、第２枢動軸３５８に沿って整列され得る少なくとも１つの枢動部材３５０の周りを回転し得る。この形態では、第１枢動軸３１０の周りのトグルスイッチ３０４の回転移動が、スライダコンポーネント３３２の移動を引き起こし得る。トグルスイッチ３０４の回転移動が、更に、第２枢動軸３５８の周りのピボットプレート３４２の回転に帰結し得る。
【００６６】
ピボットプレート３４２の回転は、第１位置３６０から第２位置３６２への、及びその逆の、ガラス素子１２の角度位置の調整に帰結し得る。第１位置３６０は、図９Ｂに示され、第２位置３６２は、図９Ｃに示されている。第１位置３６０では、ピボットプレート３４２の方向は、軸外の方向に対応し得る。第２位置３６２では、ピボットプレート３４２の方向は、軸内（軸上）の方向に対応し得る。したがって、第１位置３６０は、ガラス素子１２からの視線が運転者の目から離れた方向へ向けられる軸外方向に対応し得る。第２位置３６２は、ガラス素子１２からの視線が運転者の目の方へ向けられる軸内（軸上）方向に対応し得る。
【００６７】
図９Ｃに示される矢印３６３が、スライダコンポーネント３３２及びブレード３６４すなわち第２位置３６２における突出部から延伸する例示的な方向を表し得る。第２位置では、スライダコンポーネント３３２及びブレード３６４は、当該ブレードがセンサ３６６と係合するように、位置づけられる。トグルスイッチ３０４の第１位置３６０が、図９Ａ、図９Ｂ及び図１０Ｂに全体として示されている。第２位置３６２が、図９Ｃ及び図１０Ａに全体として示されている。
【００６８】
スライダコンポーネント３３２は、ブレード３６４、すなわちプライマリＰＣＢ２８の方へスライダコンポーネント３３２から延在する突出部、を含み得る。センサ３６６は、スライダコンポーネント３３２へ向けられた後面部のプライマリＰＣＢ２８上に配置され得る。この形態では、スライダコンポーネント３３２のブレード３６４は、第２位置３６２または第１位置３６０、それぞれに配置されるトグルスイッチ３０４に応答して、センサ３６６により形成される谷３６８すなわち溝部へ出入りし得る。ブレード３６４の移動は、第１枢動軸３１０の周りのピボットプレート３４２の移動に対応し得る。谷３６８に配置されるブレード３６４の存在に応答して、センサ３６６は、トグルスイッチ３０４が、例えば第２位置３６２に配置されるという、対応する位置に配置されたことを識別することができる。
【００６９】
センサ３６６は、それに近接する物体の存在を検出するよう動作可能な様々な形式のセンサ及び／またセンサ装置に対応し得る。例えば、センサ３６６は、静電容量センサ、誘導性センサ、磁気センサ、光センサなどに対応し得る。例示的な実施形態では、センサ３６６は、エミッタ及びレシーバを備える光センサに対応し得る。エミッタ及びレシーバは、第１突出部材３７０から第２突出部材３７２までの放射を生成し、検出するよう構成され得る。第１突出部材３７０及び第２突出部材３７２は、ブレード３６４と整列してそれを収容するよう構成される谷３６８を形成し得る。この構成では、センサ３６６は、第１位置３６０及び第２位置３６２にあるトグルスイッチ３０４を検出可能である。
【００７０】
例えば、第２位置３６２へのトグルスイッチ３０４の位置決めに応答して、ピボットプレート３４２及びスライダコンポーネント３３２は、プライマリＰＣＢ２８の方へ回転し得る。スライダコンポーネント３３２がプライマリＰＣＢ２８の方へ回転すると、ブレード３６４すなわち突出部を、センサ３６６により形成される谷３６８へ進入させることができる。センサ３６６が光センサに対応する例示的な実施形態では、エミッタからレシーバへ進む放射をブレード３６４がブロックし得る。放射のブロックは、センサ３６６と通信するコントローラにより検出され得る。ブロックの検出に応答して、コントローラは表示装置２２を「オフ」状態に制御し得る。
【００７１】
第１位置３６０へのトグルスイッチ３０４の位置決めに応答して、ピボットプレート３４２及びスライダコンポーネント３３２は、プライマリＰＣＢ２８から離れる方へ回転し得る。スライダコンポーネント３３２がプライマリＰＣＢ２８から離れる方へ回転すると、ブレード３６４すなわち突出部を、センサ３６６により形成される谷３６８から立ち退かせることができる。センサ３６６が光センサに対応する例示的な実施形態では、エミッタからレシーバへ進む放射をレシーバが受け取り得る。放射の受け取りは、センサ３６６と通信するコントローラにより検出され得る。検出に応答して、コントローラは表示装置２２を「オン」状態に制御し得る。
【００７２】
ここで、図１１Ａ、図１１Ｂ、図１２Ａ及び図１２Ｂを参照すると、アクチュエータアセンブリ３００の組立図が示されている。図１１Ａ及び図１２Ａに示すアセンブリは、サポートブラケット３０６、すなわちアクチュエータアセンブリ３００のキャリアプレート、の正面図及び後面図に対応し得る。したがって、サポートブラケット３０６は、前面３０６ａ及び後面３０６ｂを有し得る。前面３０６ａは、放熱板２６を通ってＰＣＢ２８と連結するよう構成され得て、後面３０６ｂは、ボールアダプタ３２６を介してフロントガラスの方へ方向付けられ得る。サポートブラケット３０６が、スライダコンポーネント３３２、トグルスイッチ３０４及び回転ダンパー３０８と共に示されている。
【００７３】
サポートブラケット３０６は、第１位置３６０へ調整されるとき、トグルスイッチ３０４の第１動き３８２を制限するよう構成される第１機械的止め部３８０を形成し得る。サポートブラケット３０６はまた、第２位置３６２（図１０Ａに示す）へ調整されるとき、トグルスイッチ３０４の第２動き３８８を制限するよう構成される第２機械的止め部３８６を形成し得る。トグルスイッチ３０４は、第１インタフェース面３０４ａ及び第２インタフェース面３０４ｂそれぞれを介して、機械的止め部３８０及び３８６のそれぞれと接触するよう構成され得る。この形態では、第１インタフェース面３０４ａは、第１位置３６０の第１機械的止め部３８０に近接して配置され得て、第２インタフェース面３０４ｂは、第２位置３６２の第２機械的止め部３８６に近接して配置され得る。
【００７４】
第１インタフェース面３０４ａ及び第２インタフェース面３０４ｂのそれぞれは、バンパー３９０を具備し得る。バンパー３９０のそれぞれは、トグルスイッチ３０４及び／またはサポートブラケット３０６に取り付けられる緩衝材に対応し得る。トグルスイッチ３０４を第１位置３６０から第２位置３６２へ調整する場合に生じる可能性がある衝撃及びそれに伴うノイズを制限することにより、バンパー３９０は、アクチュエータアセンブリ３００に改良された相互作用を提供し得る。例示的な実施形態では、バンパー３９０は、インタフェース面３０４ａと３０４ｂのそれぞれに付与されたオーバーモールド部に対応し得る。この構成では、バンパー３９０は、サポートブラケット３０６とトグルスイッチ３０４の衝撃を緩和して、第１位置３６０から第２位置３６２へのアクチュエータアセンブリ３００の移行を改良することができる。
【００７５】
ここで、図１１Ｂを参照すると、スライダコンポーネント３３２、トグルスイッチ３０４、及び回転ダンパー３０８の詳細組立図が示されている。第１バンパー３９０ａは、第１インタフェース面３０４ａ上に配置されている。第１バンパー３９０ａは、トグルスイッチ３０４を形成する基部と異なる材料の突出部に対応し得る。突出部は、第１バンパー３９０ａの緩衝特性または減速特性を改良するよう構成され得る、衝撃面３９６上に配置される１つまたは複数の形体３９４を具備し得る。例示的な実施形態では、第１バンパー３９０ａは、トグルスイッチ３０４の剛直高分子材料の外部面上にオーバーモールドされたエラストマ材料に対応し得る。
【００７６】
また図１１Ｂ及び図１１Ｃに示すように、放射方向位置決め形体３９８が、回転ダンパー３０８の放射方向位置決め器４０２とトグルスイッチ３０４の連結器４００の機械的係合を遅らせるよう構成され得る。この形態では、放射方向位置決め器４０２は、減衰シリンダ３２２から突設され得て、回転ダンパー３０８に対するトグルスイッチ３０４の第１動き３８２または第２動き３８８の後にのみ、トグルスイッチ３０４の連結器４００と係合することができる。したがって、トグルスイッチ３０４の回転移動は、トグルスイッチ３０４が回転バッファ４０４を通って軸方向に回転するまで、回転ダンパー３０８により著しく減衰されない。
【００７７】
実施形態によっては、回転バッファ４０４は、トグルスイッチ３０４と回転ダンパー３０８との間の非係合区域に対応し得る。回転バッファ４０４により、連結器４００の第１係合面４００ａ及び第２係合面４００ｂのそれぞれが、回転ダンパー３０８の放射方向位置決め器４０２及び減衰シリンダ３２２に対して放射方向に移動することを許容し得る。回転バッファ４０４に対応する放射方向の移動部分にわたり、トグルスイッチ３０４の回転を回転ダンパー３０８が減衰しなく得る。回転バッファ４０４は、トグルスイッチ３０４の放射方向の移動のおよそ半分より大きく得る、放射方向の距離４０６に対応し得る。例示的な実施形態では、回転バッファ４０４の放射方向の距離４０６は、トグルスイッチの放射方向の移動の約７５％でもよい。したがって、回転ダンパー３０８は、トグルスイッチ３０４が概ね移動の中心を超えて回転するまで、トグルスイッチ３０４の回転を抑制しなく得る。
【００７８】
移動の中心は、第１位置３６０と第２位置３６２（図１０Ａに示す）との間の放射状のほぼ中間に位置し得る。この構成では、トグルスイッチ３０４が第１位置３６０と第２位置３６２の間で止まったり動きだしたりする可能性は低い。したがって、トグルスイッチ３０４を第１位置３６０と第２位置３６２との間で移動する場合、当該回転バッファ４０４により改良された一貫した動きと触感を得ることができる。図１１Ｂ及び１１Ｃに示す例示的な実施形態を参照して論じたが、アクチュエータアセンブリ３００の構成要素は、本開示の精神から逸脱しない限り、様々な配置で構成され得る。
【００７９】
実施形態によっては、回転バッファ４０４またはトグルスイッチ３０４の非係合区域は、放射方向位置決め器４０２を摺動可能に係合するよう構成される溝部４０８を形成し得る。連結器４００の第１係合面４００ａ及び第２係合面４００ｂは、溝部４０８の放射方向の広がりを形成し得る。実施形態によっては、溝部４０８は、トグルスイッチ３０４とは異なる材料の被覆４１０を含んでもよい。バンパー３９０と同様に、被覆４１０は、連結器４００の溝部４０８と回転ダンパー３０８の放射方向位置決め器４０２との間の緩衝を改良する、かつ／または干渉を回避する、よう構成され得る。例示的な実施形態では、被覆４１０は、第１係合面４００ａから第２係合面４００ｂへ延在する溝部４０８の長さに沿ってオーバーモールドされたエラストマ材料に対応し得る。
【００８０】
ここで、図１２Ｂを参照すると、アクチュエータアセンブリ３００の分解組立図を示す。分解組立図は、サポートブラケット３０６、スライダコンポーネント３３２、トグルスイッチ３０４及び回転ダンパー３０８を示し得る。図示のように、第２インタフェース面３０４ｂはまたバンパー３９０を具備し得る。したがって、第２ダンパー３９０ｂは、トグルスイッチ３０４の第２インタフェース面３０４ｂ上に配置され得る。
【００８１】
第２バンパー３９０ｂは、トグルスイッチ３０４を形成する基部と異なる材料の突出部に対応し得る。当該突出部は、衝撃面３９６上に配置される１つまたは複数の形体３９４を含んでもよい。形体３９４は、第２バンパー３９０ｂの衝撃特性または減速特性を改良するよう構成され得る。例示的な実施形態では、第２バンパー３９０ｂは、トグルスイッチ３０４の剛直高分子材料の外部面上にオーバーモールドされたエラストマ材料に対応し得る。この形態では、トグルスイッチ３０４を第１位置３６０から第２位置３６２へ調整する場合、衝撃を制限することにより、第２バンパー３９０ｂが、アクチュエータアセンブリ３００に改良された相互作用を提供し得る。
【００８２】
図１２Ｂに更に示されるように、回転ダンパー３０８の位置決め形体３２０の係合面３１４が、第１溝部３１８内に形成される相補的受け入れ開口部４２０と共に図示されている。この組み立てられた構成では、トグルスイッチ３０４の係合部３１２は、トグルスイッチ３０４及び回転ダンパー３０８内の減衰シリンダ３２２が第１枢動軸３１０の周りを一緒に回転するよう、回転ダンパー３０８と係合し得る。したがって、トグルスイッチ３０４と減衰シリンダ３２２の回転がロック（係止）され得て、これにより、トグルスイッチ３０４の回転は、サポートブラケット３０６に対して回転ダンパー３０８により第１枢動軸３１０の周りに減衰され得る。
【００８３】
表示ミラーアセンブリ１０のビューアーに情報を提供するために、表示ミラーアセンブリ１０が使用されている場合、表示ミラーアセンブリ１０は、表示領域４０上で見える表示装置２２上の部分的に透過性のグラフィックオーバーレイまたはイメージ等の視野１７８に関する情報を含み得る。
【００８４】
再度、図５及び図６を参照すると、本明細書で論じた表示ミラーアセンブリは、１つまたは複数の導電性クリップを具備し得る。本明細書中で記載された表示ミラーアセンブリ１０を組み立てるために、Ｊ型クリップ５４をガラス素子１２に取り付け、次に、素子線をＪ型クリップ５４の上面部分に半田付けする。その後、発泡性接着剤７２を用いて、フロントシールド１４の前面部６４及びフロントシールド１４の前方保持形体７０にガラス素子１２を固定する。その後、フロントシールド１４が反転され、ガラス素子１２は保護面上に下向きになる。
【００８５】
第１サブアセンブリ１８０（図５）は、表示装置２２及び光学ブロック２４を含むもので、グレアセンサ１０２を光学ブロック２４の受け入れ開口部１０４にスナップ嵌合し、表示装置２２を光学ブロック２４に接着させることによって、組み立て可能である。表示装置２２と光学ブロック２４との接着（工程）は、接着剤で光学ブロック２４の前面部９０を覆い、当該接着剤全体にわたってリリースライナーを適用することが含まれてもよく、リリースライナーは接着剤から容易に除去可能である。表示装置２２と光学ブロック２４を組み立てる時に、リリースライナーが取り除かれ、表示装置２２は光学ブロック２４の前面部１１２に置かれる。表示装置２２の位置決めを行うために、表示装置２２の一端部を光学ブロック２４上の適当な位置に位置合わせし、続いて表示装置２２を回転させて光学ブロック２４の前面部９０と接触させる。第１サブアセンブリ１８０は、フロントシールド１４の後面部６６に所定の位置に置かれる。光学ブロック２４から外側に延びるタブ９６は、穴部７６を通ってフロントシールド１４の後向きタブ７４に挿入される。
【００８６】
第２サブアセンブリ１８２（図５）は、放熱板２６及びエッジ点灯ＰＣＢ１２０を含むもので、これが組み立てられる。第２サブアセンブリ１８２を組み立てるために、ギャップフィラー１２２をエッジ点灯ＰＣＢ１２０に接着させる。この接着（工程）には、接着剤でギャップフィラー１２２の一面を覆い、次に、それがエッジ点灯ＰＣＢ１２０の作動可能側を妨害しないように、エッジ点灯ＰＣＢ１２０にギャップフィラー１２２を適用することが含まれ得る。その後、ギャップフィラー１２２及びエッジ点灯ＰＣＢ１２０を、放熱板２６の前面部１１２上の溝部１１６にある開口部に挿入する。選択的に、位置決め形体が、放熱板２６、エッジ点灯ＰＣＢ１２０、またはそれら両方の上に設けられ、溝部１１６へのサイド点灯ＰＣＢ及びギャップフィラー１２２の挿入を助ける。第２サブアセンブリ１８２は、光学ブロック２４の後面部９２の所定の位置に置かれる。光学ブロック２４から後方へ延びるネジ受け要素９８は、放熱板２６の穴部１３０を通して延びる。
【００８７】
プライマリＰＣＢ２８は、第２サブアセンブリ１８２の上端縁部上に、前面部１４０が上向きの状態で置かれ得る。表示装置２２からのフレキシブル電気コネクタ８０は、対応する電気コネクタに結合される。次に、第２サブアセンブリ１８２の上端縁部を中心にしてプライマリＰＣＢ２８を１８０度回転させ、前面部１４０が放熱板２６に接触するようにする。プライマリＰＣＢ２８を回転させる場合、フレキシブル電気コネクタは、表示モジュール１８の少なくとも一部分の上端縁部に覆われる。素子線を対応の電気コネクタに電気的に接続し、エッジ点灯ＰＣＢ１２０のワイヤリングハーネスを対応の電気コネクタと接続する。
【００８８】
図４及び図５に示すとおり、リアシールド１６がプライマリＰＣＢ２８上に配置され、放熱板２６から上方に延びるタブ１２８はリアシールド１６の周壁部１６４のスロット１６６に係合される。少なくとも１本のネジ１００が、リアシールド１６のネジ穴部１６８、ＰＣＢの側面切欠部１５０、放熱板２６を通して、光学ブロック２４のネジ受け要素９８に挿入される。このようにして、２〜３本のネジ１００が固定されることが望ましい。
【００８９】
後部筐体３０の前向空隙部１７０はリアシールド１６上に配置され、後部筐体３０の機械的係合形体１７２はスナップ嵌合して、放熱板２６の対応する係合形体１７４に係合される。組み立てに先立って、実装部材３２を後部筐体３０に取り付け得る。
【００９０】
本開示は、米国特許第８，８１４，３７３号、米国特許第８，２０１，８００号、米国特許第８，２１０，６９５号、米国特許出願公開第２０１４／００６３６３０号、米国特許出願公開第２０１３／００６２４９７号、米国特許出願公開第２０１２／０３２７２３４号、米国仮特許出願第６１／７０９，７１６号、米国仮特許出願第６１／７０７，６７６号、及び、米国仮特許出願第６１／７０４，８６９号に記述されているような取り付けシステムと共に使用されうる。これら文献の開示内容は、当該参照によりその全体が本明細書に組み込まれる。更に、本開示は、米国特許第８，８１４，３７３号、米国特許第８，６４６，９２４号、米国特許第８，６４３，９３１号、米国特許第８，２６４，７６１号、米国特許出願公開第２０１３／０１９４６５０号、米国仮特許出願第６１／７０７，６２５号、及び、米国仮特許出願第６１／５９０，２５９号に記述されているような後方視認パッケージアセンブリと共に使用されうる。これら文献の開示内容は、当該参照によりその全体が本明細書に組み込まれる。更に、本開示は、米国特許第８，８２７，５１７号、米国特許第８，２１０，６９５号、及び、米国特許第８，２０１，８００号に記述されているようなベゼルを含むことができることが意図されている。これら文献の開示内容は、当該参照によりその全体が本明細書に組み込まれる。
【００９１】
本明細書に記載される本発明の実施形態は、ある特定の非プロセッサ回路と併せて、本明細書に記載される表示ミラーアセンブリ１０の機能のうちのいくつか、ほとんど、または全てを実装する一つ以上の従来のプロセッサ、ならびに、一つ以上のプロセッサを制御する固有の記憶されたプログラム命令、からなり得ることが理解されよう。非プロセッサ回路には、信号ドライバ、クロック回路、電源回路、及び／またはユーザ入力デバイスが含まれ得るが、これらに限定されない。そのようなものとして、これらの機能は、分類システムを使用または構築するのに用いられる方法の工程として解釈され得る。代替的に、いくつかまたは全ての機能は、記憶されたプログラム命令を有しない状態機械によって、または、各機能もしくは所定の機能のいくつかの組み合わせがカスタムロジックとして実装される一つ以上の特定用途向け集積回路（ＡＳＩＣ）において、実装されることが可能である。当然のことながら、これらの二つのアプローチの組み合わせを使用することが可能である。故に、これらの機能のための方法及び手段が本明細書に記載されてきた。更に、当業者であれば、例えば、利用可能な時間、現在の技術、及び経済的配慮によって動機付けられる、有意の努力及び多くの設計選択にもかかわらず、本明細書に開示される概念及び原理によって導かれるとき、最小限の実験をもってかかるソフトウェア命令及びプログラムならびにＩＣを容易に生成可能であろうことが予想される。
【００９２】
記述された発明及び他の構成要素の構築は、いなかる特定の材料にも限定されないことが、当業者によって理解されるだろう。本明細書に開示された発明の他の例示的な実施形態は、本明細書に別段の記載がある場合を除き、広範な材料から形成され得る。
【００９３】
本開示用に、用語「ｃｏｕｐｌｅｄ（結合された）」（ｃｏｕｐｌｅ，ｃｏｕｐｌｉｎｇ，ｃｏｕｐｌｅｄなどその形式のすべてにおいて）は、直接的であれ間接的であれ、互いに２つの構成要素（電気的または機械的）が接合することを概して意味する。このような接合は、本質的に静止状態かまたは本質的に可動状態であり得る。このような接合は、２つの構成要素（電気的または機械的）、ならびに、互いとまたは２つの構成要素と１つの単体として一体成形される付加的中間部材で、達成され得る。このような接合は、本質的に永続的であってよいか、または、別段の記載がない限り、本質的に取外し可能つまり遊離可能であり得る。
【００９４】
例示的な実施形態において示されるような本発明の要素の構築及び配置は、単に説明的であることに注意することも重要である。本発明の少数の実施形態だけが、本開示において詳細に記述されているが、本開示を検討する当業者は、列挙された主題の新規の教示及び利点から逸脱することなく、多くの修正が可能（例えば、さまざまな要素のサイズ、寸法、構造、形及び比率、パラメータ値、取り付け方法、材料の使用、色、向きなど）であることを容易に認識するだろう。例えば、一体成形として示される要素は、複数の部品が一体成形され得るように示される複数の部品または要素から構成されてもよく、インタフェースの操作が逆にまたは他の態様に変化されてもよく、システムの構造及び／または部材またはコネクタまたは他の要素の長さまたは幅が変化されてもよく、要素間に提供された調整位置の性質または個数が変化され得る。システムの要素及び／またはアセンブリは、任意の広範な色、質感、及び組合せにおいて、十分な強度または耐久性を提供する、任意の広範な材料から構成され得る。その結果、すべてのこのような修正は、本発明の範囲内に含まれるように意図される。他の代用、修正、変化、及び省略は、本発明の精神から逸脱することなく、所望の他の例示的な実施形態のデザイン、操作条件及び配置において、なされ得る。
【００９５】
いずれの説明されたプロセスまたは説明されたプロセス内のステップも、その他の開示されたプロセスまたはステップと組み合わされ、本発明の範囲内で構造を形成し得ることが理解されるであろう。本明細書に開示された例示的な構造及びプロセスは、説明のためのものであり、制限として解釈してはならない。
【００９６】
変形及び修正が、本発明の概念から逸脱することなく、前述の構造及び方法においてなされ得ることも理解されるべきであり、更に、このような概念は、特許請求の範囲がそれらの言葉で別段に明確に述べられていない限り、以下の特許請求の範囲に含まれるものとされることが理解されるべきである。
【図１】
0006689964.tif 000002
【図２】
0006689964.tif 000003
【図３】
0006689964.tif 000004
【図４】
0006689964.tif 000005
【図５】
0006689964.tif 000006
【図６】
0006689964.tif 000007
【図７】
0006689964.tif 000008
【図８Ａ】
0006689964.tif 000009
【図８Ｂ】
0006689964.tif 000010
【図９Ａ】
0006689964.tif 000011
【図９Ｂ】
0006689964.tif 000012
【図９Ｃ】
0006689964.tif 000013
【図１０Ａ】
0006689964.tif 000014
【図１０Ｂ】
0006689964.tif 000015
【図１１Ａ】
0006689964.tif 000016
【図１１Ｂ】
0006689964.tif 000017
【図１１Ｃ】
0006689964.tif 000018
【図１２Ａ】
0006689964.tif 000019
【図１２Ｂ】
0006689964.tif 000020